【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
ステントであって、
互いに反対側に位置する第１の開口端と第２の開口端を備えた管状ステントを形成するよう編成されている少なくとも２本の細長いワイヤを有し、各開口端は、周囲を有し、
前記少なくとも２本のワイヤのうちの１本は、前記第１の開口端のところに周方向に設けられた細長い部分を有する再位置決め及び／又は回収ループの状態に形成されている、ステント。
【請求項２】
編成された前記少なくとも２本のワイヤは、編組されている、請求項１記載のステント。
【請求項３】
前記再位置決め及び／又は回収ループの周方向に設けられた細長い部分は、前記第１の周囲を実質的に横切るワイヤループを有する、請求項１記載のステント。
【請求項４】
前記再位置決め及び／又は回収ループの周方向に設けられた細長い部分は、前記第１の周囲を部分的に横切るワイヤループを有する、請求項１記載のステント。
【請求項５】
前記再位置決め及び／又は回収ループの周方向に設けられた細長い部分は、前記ステントワイヤのうちの１本から形成され且つ前記第１の周囲を実質的に横切る第１のワイヤループと、前記ステントワイヤのうちの別の１本から形成され且つ前記第１の周囲を部分的に横切る第２のワイヤループとを有し、
前記第２のワイヤループの周方向に設けられた部分は、前記第１のワイヤループの周方向に設けられた部分の一部と並んで配置されている、請求項１記載のステント。
【請求項６】
前記第１のワイヤループの周方向に設けられた部分のところの前記第１のワイヤは、前記第２のワイヤループの周方向に設けられた部分のところの前記第２のワイヤを跨いでいる、請求項５記載のステント。
【請求項７】
前記第１のワイヤループの周方向部分のところの前記第１のワイヤは、前記第２のワイヤループの周方向部分のところの前記第２のワイヤに取り付けられる、請求項５記載のステント。
【請求項８】
前記ワイヤは、生体適合性金属材料及び／又はポリマー材料を含む、請求項１記載のステント。
【請求項９】
前記金属材料は、ニチノール、コバルト系合金、ステンレス鋼、白金、金、チタン、タンタル、ニオブ、ポリマー材料及びこれらの組み合わせから成る群から選択される、請求項８記載のステント。
【請求項１０】
前記ワイヤは、ニチノールを含む、請求項９記載のステント。
【請求項１１】
前記ワイヤは、放射線不透過性を向上させるための複合ワイヤである、請求項８記載のステント。
【請求項１２】
前記ワイヤは、タンタル、金、白金、イリジウム又はこれらの組み合わせの内側コアと、ニチノールの外側部分とを有する、請求項１１記載のステント。
【請求項１３】
編組ステントであって、
複数本のワイヤを有し、前記ワイヤは、互いに反対側に位置する無傷性の第１の開口端及び第２の開口端を備えた管状ステントを形成するよう編組パターンで相互に編組された第１の端部及び第２の端部を有し、前記開口端は各々、周囲を有し、
前記第１のワイヤ端部及び前記第２のワイヤ端部は、前記第２のステント開口端のところに設けられ、前記ワイヤは、前記第１のワイヤ端部及び前記第２のワイヤ端部のどちらも前記第２のステント開口端の周囲のところで露出することがないように、前記第２のステント開口端のところでループ状になっており、
前記ワイヤのうちの少なくとも２本は、前記第１の反対側の開口端のところに周方向に設けられた細長い部分を有する再位置決め及び／又は回収ループの状態に形成され、
前記再位置決め及び／又は回収ループは、交差に先立って互いに隣接して延び、それにより医療技師が同時に両方とも掴める２つの部分を有する、編組ステント。
【請求項１４】
前記再位置決め及び／又は回収ループの前記第１の部分は、前記ステントワイヤのうちの１本から形成され且つ前記第１の周囲を実質的に横切る第１のワイヤループを有し、
前記再位置決め及び／又は回収ループの前記第２の部分は、前記ステントワイヤのうちの別の１本から形成され且つ前記第１の周囲を部分的に横切る第２のワイヤループを有し、
前記第２のワイヤループの周方向に設けられた部分は、前記第１のワイヤループの周方向に設けられた部分の一部と並んで配置される、請求項１３記載のステント。
【請求項１５】
前記第２のワイヤループは、前記ステントの相互編組部分から長手方向に延びる２つの脚部を有する、請求項１４記載のステント。
【請求項１６】
前記脚部は、基部及び頂点を有し、前記基部は、前記ステントの相互編組部分と一体であり、前記ワイヤは、前記第２のワイヤループの周方向に設けられた部分を形成するような前記頂点のところで山形に曲げられる、請求項１５記載のステント。
【請求項１７】
前記第１のワイヤループの周方向に設けられた部分のところの前記第１のワイヤは、前記第２のワイヤループの周方向に設けられた部分のところの前記第２のワイヤを跨いでいる、請求項１４記載のステント。
【請求項１８】
前記第１のワイヤループの周方向に設けられた部分のところの前記第１のワイヤは、前記第２のワイヤループの周方向に設けられた部分のところの前記第２のワイヤに取り付けられる、請求項１４記載のステント。
【請求項１９】
前記ワイヤは、生体適合性金属材料及び／又はポリマー材料を含む、請求項１３記載のステント。
【請求項２０】
前記第２のワイヤを除き、前記第１のステント端部のところの前記ワイヤは、前記編組パターンの開始部分を構成する山形曲がり部を有する、請求項１３記載のステント。
【請求項２１】
前記第１のワイヤループの周方向に設けられた部分のところの前記第１のワイヤは、前記第１のステント端部のところの山形曲がり部のうちの少なくとも１つを跨いでいる、請求項２０記載のステント。
【請求項２２】
前記第１のワイヤループの周方向に設けられた部分のところの前記第１のワイヤは、前記第１のステント端部のところの山形曲がり部のうちの少なくとも１つに取り付けられている、請求項２０記載のステント。
【請求項２３】
前記金属材料は、ニチノール、コバルト系合金、ステンレス鋼、白金、金、チタン、タンタル、ニオブ、ポリマー材料及びこれらの組み合わせから成る群から選択される、請求項１３記載のステント。
【請求項２４】
前記ワイヤは、ニチノールを含む、請求項２３記載のステント。
【請求項２５】
前記ワイヤは、放射線不透過性を向上させるための複合ワイヤである、請求項１３記載のステント。
【請求項２６】
前記ワイヤは、タンタル、金、白金、イリジウム又はこれらの組み合わせの内側コアと、ニチノールの外側部分とを有する、請求項２５記載のステント。
【請求項２７】
前記ステントは、約１０本〜約３６本の偶数本のワイヤを有する、請求項１３記載のステント。
【請求項２８】
内面又は外面に被せられた中空管状覆いを更に有する、請求項１３記載のステント。
【請求項２９】
前記管状覆いは、途切れていない覆いである、請求項２８記載のステント。
【請求項３０】
前記管状覆いは、前記ステントを実質的に覆っている、請求項２８記載のステント。
【請求項３１】
前記管状覆いは、前記ステントの部分部分を部分的に覆っている、請求項２８記載のステント。
【請求項３２】
前記管状覆いは、前記再位置決め及び／又は回収ループの部分部分を除き、前記ステントを実質的に覆っている、請求項２８記載のステント。
【請求項３３】
前記管状覆いは、ポリマー材料である、請求項２８記載のステント。
【請求項３４】
前記ポリマー材料は、ポリエステル、ポリプロピレン、ポリエチレン、ポリウレタン、ポリナフタレン、ポリテトラフルオロエチレン、発泡ポリテトラフルオロエチレン、シリコーン及びこれらの組み合わせから成る群から選択される、請求項３３記載のステント。
【請求項３５】
互いに反対側に位置する第１のステント端部と第２のステント端部を有すると共に前記第１のステント端部のところに一体形再位置決め及び／又は回収ループを有する管状編組ステントを製造する方法であって、
互いに反対側の端部を備えた複数本の細長い生体適合性ワイヤを選択するステップと、
交差に先立って互いに隣接して延び、それにより医療技師が同時に両方共掴める２つの部分を有する再位置決め及び／又は回収ループを前記ワイヤのうちの２本から形成するステップと、
前記ワイヤを編組して前記ステントを形成するステップとを有する、方法。
【請求項３６】
前記再位置決め及び／又は回収ループを形成する前記ステップは、編組に先立って１本のワイヤを周方向に配置することにより第１の区分を形成するステップを更に含む、請求項３５記載の方法。
【請求項３７】
前記再位置決め及び／又は回収ループを形成する前記ステップは、編組に先立って第２のワイヤを周方向に配置し、前記第２のワイヤを山形に曲げて２つの長手方向脚部を形成することにより第２の部分を形成するステップを更に含む、請求項３５記載の方法。
【請求項３８】
前記ワイヤを編組する前記ステップは、前記ワイヤを前記互いに反対側のワイヤ端部が前記ステントの前記第２の端部のところで終端するよう編組するステップを更に含む、請求項３５記載の方法。
【請求項３９】
前記ワイヤを前記第２の端部のところで曲げて前記第２の端部のところにワイヤループを形成するステップを更に有する、請求項３８記載の方法。
【請求項４０】
前記ワイヤ端部を互いに溶接して前記ワイヤ端部のところに閉じられたワイヤループを形成するステップを更に有する、請求項３９記載の方法。
【請求項４１】
前記ワイヤ端部は、前記閉じられたワイヤループの一部の近位側で互いに溶接される、請求項４０記載の方法。
【請求項４２】
前記ワイヤ端部は、近位側に配置されるが前記閉じられたワイヤループ端部の前に配置された溶接編組ワイヤ部分である、請求項４１記載の方法。
【請求項４３】
ワイヤを選択する前記ステップは、偶数本のワイヤを選択するステップを更に含む、請求項３５記載の方法。
【請求項４４】
前記偶数のワイヤ本数は、約１０本〜約３６本である、請求項４３記載の方法。
【請求項４５】
前記ステントの前記第１の端部のところの前記ワイヤは、前記編組ステップに先立って山形に曲げられ、その結果、前記ステントの前記第１の端部のところにワイヤ端部が位置することがないようになっている、請求項３５記載の方法。
【請求項４６】
前記ステントの前記第１の端部のところの前記ワイヤは、前記編組ステップに先立ってワイヤ曲がり部を形成するよう山形に曲げられ、その結果、前記ステントの前記第１の端部のところにワイヤ端部が位置することがないようになっており、前記第１の部分を形成する前記１本のワイヤは、前記ワイヤ曲がり部のうちの少なくとも１つを跨いでいる、請求項３６記載の方法。